(57)【要約】【課題】電力量計ユニットを装着するユニット接合部は交換しないで電力量計ユニットの定格電流を変更できる電力量計を得る。【解決手段】第１定格電流値を有する第１の電力量計ユニット３０または前記第１定格電流値より小さい値の第２定格電流値を有する第２の電力量計ユニット３１のいずれか１つと、送電系統からの引込み線が接続される一次側端子１１と、需要家側配線が接続される二次側端子１２と、第１の電力量計ユニット３０または第２の電力量計ユニット３１のいずれか１つが装着可能なベースユニット１０と、を有し、ベースユニット１０は、第１の電力量計ユニット３０および第２の電力量計ユニット３１が共用で接続される第１の刃受け端子３１１，・・・と、第１の電力量計ユニットが接続される第２の刃受け端子３３１，・・・と、両電力量計ユニット３０、３１の電圧端子が接続される第３の刃受け端子３５１，・・・と、を備えた。【選択図】図１
2014126418.tif 000002
【特許請求の範囲】
【請求項１】
第１定格電流値を有する第１の電力量計ユニットまたは前記第１定格電流値より小さい値の第２定格電流値を有する第２の電力量計ユニットのいずれか１つと、送電系統からの引込み線が接続される一次側端子及び需要家側配線が接続される二次側端子とを有し、前記第１の電力量計ユニットまたは前記第２の電力量計ユニットのいずれか１つが装着可能なベースユニットと、を備えた電力量計において、
前記ベースユニットは、前記第１の電力量計ユニット及び前記第２の電力量計ユニットの電流用の刃端子が共用で接続される第１の刃受け端子と、前記第１の電力量計ユニットの電流用の刃端子が接続される第２の刃受け端子と、前記両電力量計ユニットの電圧用の刃端子が接続される第３の刃受け端子と、を備えたことを特徴とする電力量計。
【請求項２】
前記第１の刃受け端子の幅をＬ１、前記第２の刃受け端子の幅をＬ２、前記第１の刃受け端子と前記第２の刃受け端子との間隔をＬ３、前記第１の電力量計ユニットの電流刃端子の幅をＬ４、とすると、
Ｌ４≧Ｌ１＋Ｌ２＋Ｌ３
であることを特徴とする請求項１に記載の電力量計。
【請求項３】
前記第１の電力量計ユニットにおける電流用の前記刃端子の一方の端部を前記第１の刃受け端子の外側端部の外側に、前記第１の電力量計ユニットにおける電流用の前記刃端子の他方の端部を前記第２の刃受け端子の外側端部の外側に位置させたことを特徴とする請求項２に記載の電力量計。
【請求項４】
前記第２の電力量計ユニットの電流端子の幅をＬ５、とすると、
Ｌ３≧｜Ｌ５−Ｌ１｜
であることを特徴とする請求項２または請求項３に記載の電力量計。
【請求項５】
Ｌ５≧Ｌ１
であることを特徴とする請求項４に記載の電力量計。
【請求項６】
前記第２の電力量計ユニットにおける電流用の前記刃端子の一方の端部を前記第１の刃受け端子の外側端部の外側に、前記第２の電力量計ユニットにおける電流用の前記刃端子の他方の端部を前記第１の刃受け端子の内側端部の外側に位置させたことを特徴とする請求項５に記載の電力量計。
【発明の詳細な説明】
【技術分野】
【０００１】
本発明は、電力量を計測する機器をはじめ、各種の電気機器をユニット化し、これら機器ユニットを着脱自在に装着してなるユニット単位で交換可能な電力量計に関するものである。
【背景技術】
【０００２】
電力の需要家において使用される電力量を計量する電力量計には、多様な用途に合わせた種々の電力量計が存在する。例えば、一般家庭では汎用タイプの電力量計が、賃貸住宅等のオーナーが頻繁に交代する住宅には給電停止・停止解除が容易に行えるよう開閉器内蔵型電力量計が、検針作業が困難な住宅には無線通信機能を内蔵した遠隔検針用電力量計が、時間帯別契約で時間帯別に計量が必要な場合は時間帯別電力量計がそれぞれ用いられる。すなわち、需要家の属性に応じて、当該属性に適した電力量計を準備し、各々の住宅等に設置するという運用が為されている。
そこで、送電系統からの引込み線が接続される一次側端子及び需要家側配線が接続される二次側端子を備える端子ブロック部、及び一次側端子もしくは二次側端子と電気的に接続された所定数の刃受け端子を備えるユニット接合部を有するユニットベースと、該ユニット接合部に設定された複数のユニット区画へ着脱自在とされ、刃受け端子に圧入される刃端子を備えた電力量計ユニットと、通信端局ユニットや開閉器ユニット等のオプション機器ユニットとから構成したユニット式計器が知られている（例えば、特許文献１参照。）。
また、電力使用量が少ない一般家庭や賃貸住宅等では、電流を直接、電力量計の内部に通電させて電力量を計測するタイプの電力量計が用いられる。そのため、この電力量計には、通電電流に応じ、例えば、３０Ａ、６０Ａ、１２０Ａ等の複数の定格電流のものが用意されている。
【先行技術文献】
【特許文献】
【０００３】
【特許文献１】特開２００６−１７０７８７号公報
【発明の概要】
【発明が解決しようとする課題】
【０００４】
しかしながら、昨今の一般家庭においては、オール電化住宅への改装に伴い電気設備の使用電流が大幅に増え、例えば、６０Ａから１２０Ａへの定格電流の引き上げや、逆に、子供の独立等による家族構成人員の減少に伴い使用電流が大幅に減り、例えば、１２０Ａから６０Ａへの定格電流の引き下げを行う必要がある。そうすると、従来のユニット式計器では、電力量計ユニットの定格電流に応じたユニット接合部の刃受け端子を設ける必要があり、定格電流に応じてユニットベースも異なるものとなっている。従って、電力量計ユニットの定格電流を変更する場合には、電力量計ユニットを装着するベースユニットも電力量計ユニットの定格電流に合わせて交換する必要があるという問題があった。
【０００５】
本発明はこのような事情に鑑みてなされたもので、電力量計ユニットの定格電流を変更する場合に、電力量計ユニットを交換するだけで電力量計ユニットを装着するベースユニットの交換が必要ない電力量計を得るものである。
【課題を解決するための手段】
【０００６】
この発明に係る電力量計においては、第１定格電流値を有する第１の電力量計ユニットまたは前記第１定格電流値より小さい値の第２定格電流値を有する第２の電力量計ユニッ
トのいずれか１つと、送電系統からの引込み線が接続される一次側端子及び需要家側配線が接続される二次側端子を有し、第１の電力量計ユニットまたは第２の電力量計ユニットのいずれか１つが装着可能なベースユニットと、を備えたユニット式計器において、ベースユニットは、第１の電力量計ユニット及び第２の電力量計ユニットの電流端子である刃端子が共用で接続される第１の刃受け端子と、第１の電力量計ユニットの電流端子である刃端子が接続される第２の刃受け端子と、両電力量計ユニットの電圧端子である刃端子が接続される第３の刃受け端子と、を備えたものである。
【発明の効果】
【０００７】
この発明によれば、定格電流が異なる複数の電力量計ユニットの電流端子としての刃端子が共用で接続される第１の刃受け端子と、複数のうち定格電流が大きい方の電力量計ユニットの電流端子である刃端子が接続される第２の刃受け端子とを備えたので、電力量計ユニットの定格電流を変更する場合に、電力量計ユニットを交換するだけで電力量計ユニットを装着するベースユニットは交換の必要がないので、電力量計ユニットを交換する時の経済的ロスの発生を抑制することができる。
【図面の簡単な説明】
【０００８】
【図１】本発明の実施形態１における電力量計ユニット、通信端局ユニット、及び保護カバー部材を透視した状態のユニット式計器を示す正面図である。
【図２】図１のＸ−Ｘ線断面図である。
【図３】図１において、覆板２１を取り外した状態のユニット式計器１を示す正面図である。
【図４】覆板２１の上部を示す要部正面図である。
【図５】第１の電力量計ユニットの一例を示す斜視図で、（ａ）は正面方向の斜視図、（ｂ）は背面方向の斜視図である。
【図６】本発明の実施形態１における刃受け端子と刃端子との関係を示す要部拡大斜視図である。
【図７】本発明の実施形態１における刃受け端子に刃端子が圧入された状態を示す要部拡大断面図である。
【図８】本発明の実施形態１における刃受け端子に刃端子が圧入された状態を示す要部拡大側面図である。
【図９】図１に示すユニット式計器の結線状態を示す回路図である。
【図１０】本発明の実施形態１におけるユニット式計器を示す斜視図である。
【図１１】本発明の実施形態１におけるユニット式計器を示す正面図である。
【図１２】本発明の実施形態１におけるユニット式計器を示す右側面図である。
【図１３】本発明の実施形態１におけるユニット式計器を示す左側面図である。
【図１４】本発明の実施形態１におけるユニット式計器を示す平面図である。
【図１５】本発明の実施形態１におけるユニット式計器を示す底面図である。
【図１６】本発明の実施形態１におけるユニット式計器を示す背面図である。
【図１７】図１１において透明部分をハッチングで示した正面図である。
【図１８】本発明の実施形態１における第１の電力量計ユニットを示す正面図である。
【図１９】本発明の実施形態１における第１の電力量計ユニットを示す右側面図である。
【図２０】本発明の実施形態１における第１の電力量計ユニットを示す左側面図である。
【図２１】本発明の実施形態１における第１の電力量計ユニットを示す平面図である。
【図２２】本発明の実施形態１における第１の電力量計ユニットを示す底面図である。
【図２３】本発明の実施形態１における第１の電力量計ユニットを示す背面図である。
【図２４】本発明の実施形態２における電力量計ユニット、通信端局ユニット、及び保護カバー部材を透視した状態のユニット式計器を示す正面図である。
【図２５】図２４のＹ−Ｙ線断面図である。
【図２６】図２４の第２の電力量計ユニットの一例を示す斜視図で、（ａ）は正面方向の斜視図、（ｂ）は背面方向の斜視図である。
【図２７】本発明の実施形態２における刃受け端子と刃端子との関係を示す要部拡大斜視図である。
【図２８】本発明の実施形態２における刃受け端子に刃端子が圧入された状態を示す要部拡大側面図である。
【発明を実施するための形態】
【０００９】
実施の形態１．
以下、図面に基づいて、本発明の実施形態について説明する。
図１は本発明の一実施形態にかかる電力量計ユニット、通信端局ユニット、及び保護カバー部材を透視した状態のユニット式計器１を示す正面図、図２は図１のＸ−Ｘ線断面図で、図３は覆板２１を取り外した状態のユニット式計器１を示す正面図、図４は覆板２１の上部を示す要部正面図、図５は第１の電力量計ユニット３０の一例を示す斜視図で、（ａ）は正面方向の斜視図、（ｂ）は背面方向の斜視図、図６は刃受け端子と刃端子との関係を示す斜視図、図７は刃受け端子に刃端子が圧入された状態を示す断面図、図８は刃受け端子に刃端子が圧入された状態を示す側面図、図９はユニット式計器の結線状態を示す回路図である。
【００１０】
図１に示すように、本実施の形態におけるユニット式計器１は、各種の機能を果たす機器ユニットを装着するユニット接合部２０及び端子ブロック部２５を備えるベースユニット１０と、このベースユニット１０に装着される機器ユニットとしての第１の電力量計ユニット３０とから構成される。
端子ブロック部２５には、送電系統からの引込み線が接続される一次側端子１１と需要家側配線が接続される二次側端子１２が設けられている。
ユニット接合部２０には、一次側端子１１若しくは二次側端子１２と電気的に接続され所定数の刃受け端子（第１端子）が設けられている。
【００１１】
また、各種の機能を果たす機器ユニットは、該ユニット接合部２０の刃受け端子に圧入可能（ユニット接合部２０に着脱自在）とされた刃端子（第２端子）を有する。なお、本実施形態では、前記機器ユニットとして、需要家で使用される電力量を計量する第１の電力量計ユニット３０と、通信機能を有する通信端局ユニット４０とが装着される例を示している。
【００１２】
ベースユニット１０は、絶縁樹脂で形成され、刃受け端子、一次側端子１１、及び二次側端子１２が配設されるケーシング１０１と、刃受け端子、一次側端子１１、及び二次側端子１２を覆う覆板２１とから構成される。本実施形態では、３線式の受電家に対して用いられるユニット式計器１を例示していることから、一次側端子１１は三つの端子１１１、１１２、１１３を有している（中央の端子１１２は、中性線の端子となる）。これに対応して、二次側端子１２も三つの端子１２１、１２２、１２３を有している。
【００１３】
図２に示すように、端子１１３（他の端子１１１、１１２、１２１、１２２、１２３も同様である）は、導体挿入孔１１５を有する端子金具１１４で構成され、ケーシング１０１に設けられた開口孔１０２１に導体挿入孔１１５を位置合わせして、ケーシング１０１の内部に取り付けられている。導体挿入孔１１５には電線端末部（この場合、需要家側配
線の端末部）の導体が、前記開口孔１０２１を介して挿入され、前記電線端末部は端子金具１１４に固定される。なお端子金具１１４の他端側１１７は、後述する、第３の刃受け端子３５３が設けられているリード導体６３に固定されている。
【００１４】
このようにして、一次側端子１１を構成する各端子１１１、１１２、１１３には送電系統からの引込み線の端末部導体が、二次側端子１２を構成する各端子１２１、１２２、１２３には需要家側配線の端末部導体がそれぞれ取り付けられる。
ベースユニット１０は、透明な保護カバー部材Ｃが、ユニット接合部２０及び端子ブロック部２５の前方開口部を覆うように取り付けられる。
【００１５】
そして、該ユニット接合部２０の表面、つまり覆板２１の表面には、目的に応じた所定の機器ユニットが装着される複数のユニット区画３００、４００が設けられている。すなわち、第１定格電流を有する第１の電力量計ユニット３０または第１定格電流より小さい値の第２定格電流を有する第２の電力量計ユニット３１のいずれか一方を装着するための第１目的のユニット区画３００（一次側端子１１と二次側端子１２とを橋絡させる第１目的のユニット区画３００）、通信端局ユニット４０を装着するための第２目的のユニット区画４００（一次側端子１１から電源電圧を取り出す第２目的のユニット区画４００）が設けられている。
【００１６】
各ユニット区画３００、４００内には、各機器ユニットが具備している刃端子に対応した所定数の刃受け端子（第１端子）が備えられている。第１目的のユニット区画３００には、一次側端子１１の中性線を除く２相の端子１１１、１１３へそれぞれ電気的に接続されている電流端子としての第１の刃受け端子３１１、３１２と、同様に二次側端子１２の中性線を除く２相の端子１２１、１２３へそれぞれ電気的に接続されている電流端子としての第１の刃受け端子３２１、３２２と、一次側端子１１の中性線を除く２相の端子１１１、１１３へそれぞれ電気的に接続されている電流端子としての第２の刃受け端子３３１、３３２と、同様に二次側端子１２の中性線を除く２相の端子１２１、１２３へそれぞれ電気的に接続されている電流端子としての第２の刃受け端子３４１、３４２とが、ベースユニット１０のユニット接合部２０に配置されている。
【００１７】
第１の刃受け端子には、第１の電力量計ユニット３０および第２の電力量計ユニット３１が共用で接続され、第２の刃受け端子には、第１の電力量計ユニット３０のみが接続される。
さらに、一次側端子１１の各端子１１１、１１２、１１３へそれぞれ電気的に接続されている電圧用刃端子としての第３の刃受け端子３５１、３５２、３５３とが、ユニット接合部２０に配置されている。
【００１８】
第２目的のユニット区画４００は、第１目的のユニット区画３００よりも端子ブロック部２５から見て遠端側に配置され、該第２目的のユニット区画４００には、一次側端子１１の各端子１１１、１１２、１１３へそれぞれ電気的に接続されている電圧用刃端子としての第４の刃受け端子４１１、４１２、４１３が配置されている。
【００１９】
図３に示すように、ケーシング１０１には、一次側端子１１の各端子１１１、１１２、１１３と各刃受け端子とをそれぞれ電気的に導通させるリード導体６１、６２、６３が、仕切り用の絶縁凸条２５１、２５２を介して並列に収納されている。すなわち、端子１１３にはリード導体６３の端部が接続され（図２の断面図参照）、該リード導体６３には、電流端子としての第１の刃受け端子３１２および第２の刃受け端子３３２と、電圧端子としての第３の刃受け端子３５３と、第４の刃受け端子４１３が設けられている。
【００２０】
同様に、端子１１２にはリード導体６２の端部が接続され、該リード導体６２には、電圧端子としての第３の刃受け端子３５２、及び第４の刃受け端子４１２が設けられている。また、端子１１１にはリード導体６１の端部が接続され、該リード導体６１には電流端子としての第１の刃受け端子３１１および第２の刃受け端子３３１と、電圧端子としての第３の刃受け端子３５１及び第４の刃受け端子４１１とが設けられている。
なお、リード導体６１、６２、６３及びリード導体６１、６２、６３にそれぞれ設けられる各刃受け端子は、一体的な金属部材を折り曲げ加工した一体構造の例を示したが、平板状のリード導体に各刃受け端子をリベット止め等した別体構造であっても良い。
【００２１】
さらに、ケーシング１０１には、二次側端子１２の端子１２１、１２３と各刃受け端子とをそれぞれ電気的に導通させるリード導体６４、６５が並列に収納されている。端子１２１に対しては、リード導体６４が配置され、リード導体６４には電流端子としての第１の刃受け端子３２１および電流端子としての第２の刃受け端子３４１がそれぞれ設けられている。同様に、端子１２３に対しては、リード導体６５が配置され、リード導体６５には電流端子としての第１の刃受け端子３２２および電流端子としての第２の刃受け端子３４２がそれぞれ設けられている。なお、リード導体６４とリード導体６３との間には、仕切り用の絶縁凸条２５３が設け、リード導体６４とリード導体６５との間には、仕切り用の絶縁凸条２５４が設けられている。
なお、リード導体６４、６５及びリード導体６４、６５にそれぞれ設けられる各刃受け端子は、一体的な金属部材を折り曲げ加工した一体構造の例を示したが、リード導体６１、６２、６３と同様に、平板状のリード導体に各刃受け端子をリベット止め等した別体構造であっても良い。
【００２２】
また、ケーシング１０１には、４箇所にネジ孔部２５３１、２５３２、２５４１、２５４２が設けられている。このうち、ネジ孔部２５３１、２５３２は第１目的のユニット区画３００に対応して設けられており、第１の電力量計ユニット３０もしくは第２の電力量計ユニット３１の取り付け用として用いられる。またネジ孔部２５４１、２５４２は、第２目的のユニット区画４００に対応して設けられており、通信端局ユニット４０の取り付け用として用いられる。
【００２３】
そして、上記各刃受け端子用にユニット接合部２０には、図４に示す覆板２１の所定位置に開口部が設けられる。すなわち、第１目的のユニット区画３００の領域に位置する電流端子としての第１及び第２の刃受け端子３１１及び３３１、３１２及び３３２、３２１及び３４１、３２２及び３４２にそれぞれ対応して、覆板２１には開口部２１４、２１５、２１６、２１７が設けられている。また、電圧端子としての第３の刃受け端子３５１、３５２、３５３にそれぞれ対応して、覆板２１には開口部２１８、２１９、２２０が設けられている。
【００２４】
同様に、第２目的のユニット区画４００の領域に位置する電圧用刃端子としての第４の刃受け端子４１１、４１２、４１３にそれぞれ対応して、覆板２１には開口部２１１、２１２、２１３が設けられている。
【００２５】
以上の如く設置されている各刃受け端子並びに覆板２１の開口部は、各ユニット区画３００、４００に装着される機器ユニットに応じて適宜設定される。換言すると、刃受け端子の設置箇所に応じて、各ユニット区画３００と４００の領域が設定される。この実施形態では、第１目的のユニット区画３００には電力量計ユニット３０が装着されるが、この場合一次側の端子１１１と二次側の端子１２３、及び一次側の端子１１３と二次側の端子１２１をそれぞれ第１の電力量計ユニット３０もしくは第２の電力量計ユニット３１の内部電気回路で橋絡させる必要があることから、この要請に応じて刃受け端子３１１及び３３１、３１２及び３３２、３２１及び３４１、３２２及び３４２が設置されている。
【００２６】
また、第２目的のユニット区画４００には通信端局ユニット４０が装着されることから、該通信端局ユニット４０の動作電源を、一次側端子１１を構成する各端子１１１、１１２、１１３から取り出せるよう、各々の端子に接続された第４の刃受け端子４１１、４１２、４１３が設置されている。
【００２７】
第１の電力量計ユニット３０は、電子式電力量計であって、図５（ａ）に示すように、その前面側には計量した電力量をデジタル表示する計量値表示部３０ａと、計量パルスを発光ダイオードなどで表示する計量パルス発信部３０ｂとを備えている。
【００２８】
一方、図５（ｂ）に示すように背面側には、所定の刃端子（第２端子）が突設されている。すなわち、ユニット接合部２０の刃受け端子３１１、３１２、３２１、３２２に対応するよう、電流端子としての刃端子３１１ａ、３１２ａ、３２１ａ、３２２ａがそれぞれ突設されている。また、第３の刃受け端子３５１、３５２、３５３に対応するよう、電圧用刃端子としての刃端子３５１ａ、３５２ａ、３５３ａがそれぞれ突設されている。さらに、該電力量計ユニット３０をユニット接合部２０へ固定するためのネジ孔付きフランジ部３０ｃ、３０ｃが背面板の左右２箇所に設けられ、装着時にフランジ部３０ｃ、３０ｃと、ユニット接合部２０の底板２５に設けられているネジ孔部２５３１、２５３２が位置合せされて、第１の電力量計ユニット３０がネジ止め固定される。
【００２９】
図６、図７に示すように、第１の刃受け端子３２１は、刃端子３２１ａの刃先部３２１ａＳをガイドする一対の拡開テーパ面３２１１、３２１２と、刃端子３２１ａが圧入されたときに該刃端子３２１ａが付勢力をもって挟持される挟持部３２１３と、該挟持部３２１３に連接する胴部３２１４、３１１５とからなる。同様に、第２の刃受け端子３４１は、刃端子３２１ａの刃先部３２１Ｓをガイドする一対の拡開テーパ面３４１１、３４１２と、刃端子３２１ａが圧入されたときに該刃端子３２１ａが付勢力をもって挟持される挟持部３４１３と、該挟持部３４１３に連接する胴部３４１４、３４１５とからなる。
【００３０】
上記挟持部３２１３及び３４１３のスリット幅は、刃端子３２１ａの厚さ幅Ｗよりも狭幅とされており、刃端子３２１ａが挿入されると前記挟持部３２１３及び３４１３が拡開され、胴部３２１４、３２１５、及び３４１４、３４１５により与えられる付勢力で、確実に第１、第２の刃受け端子３２１、３４１と刃端子３２１ａとの電気的接続が為されるようになっている。第１の刃受け端子３１１、３１２、３２２、第２の刃受け端子３３１、３３２、３４２と刃端子３１１ａ、３１２ａ、３２２ａについても同様であるので、説明は省略する。
【００３１】
第１の刃受け端子３１１、３１２、３２１、３２２の幅をＬ１、第２の刃受け端子３３１、３３２、３４１、３４２の幅をＬ２、第１の刃受け端子と第２の刃受け端子との間隔をＬ３とし、第１の電力量計ユニット３０の電流端子である各刃端子３１１ａ、３１２ａ、３２１ａ、３２２ａの幅をＬ４とすると、
Ｌ４≧Ｌ１＋Ｌ２＋Ｌ３          （式１）
の関係とする。
【００３２】
各刃端子と各刃受け端子を式１に示す関係とすることにより、図８に示すように、第１の刃端子３１１ａの一方の端部３１１ａ１を第１の刃受け端子３１１の外側端部３１１６の外側に、第１の刃端子３１１ａの他方の端部３１１ａ２を第２の刃受け端子３３１の外側端部３３１７の外側に位置させることができる。ここで、第１の刃受け端子３１１の外側端部３１１６とは、第１の刃受け端子３１１の２つの端部のうち、第２の刃受け端子３３１から遠い側の端部のことであり、第２の刃受け端子３３１の外側端部３３１７とは、
第２の刃受け端子３３１の２つの端部のうち、第１の刃受け端子３１１から遠い側の端部のことである。
なお、第１の刃受け端子３１２、３２１、３２２及び第２の刃受け端子３３２、３４１、３４２と、刃端子３１２ａ、３２１ａ及び３２２ａについても、第１の刃受け端子３１１、第２の刃受け端子３３１、及び刃端子３１１ａと同様であるので、詳細説明は省略する。
【００３３】
また、刃端子の幅Ｌ４の方が刃受け端子の幅であるＬ１＋Ｌ２＋Ｌ３よりも小さい場合には、第１の刃受け端子３１１、３１２、３２１、３２２の端部の１箇所と、第２の刃受け端子３３１、３３２、３４１、３４２の端部の１箇所の計２箇所しか接触しないこととなる。接触箇所が少ないと、接触抵抗が上昇し、接触部が発熱するなど、機器に悪影響が出る可能性がある。（例えば、刃受け端子の刃面がアーチ状に形成され、エッヂが出ている場合など。）
【００３４】
第１の電力量計ユニット３０の電流端子としての刃端子３１１ａと３２２ａ、及び刃端子３１２ａと３２１ａの間は、図９に示すように、それぞれ第１の電力量計ユニット３０の内部電気回路（計器電流線）で橋絡され、この計器電流線を流れる電流（負荷電流）が電流センサを用いて計測される。一方、電圧用刃端子としての刃端子３５１ａ、３５２ａ、３５３ａから、各電路間の電圧が計測される。そして、これら電流と電圧より第１の電力量計ユニット３０内部の計量電子回路で電力量等が演算計測される。
また、刃端子３５１ａ、３５２ａ、３５３ａは、第１の電力量計ユニット３０が具備する電源回路にも接続され、当該電子回路等の動作電源として用いられる。
前述した通り、第１目的のユニット区画３００には電力量計ユニット３０が装着されていることから、刃受け端子３１１と３２２との間、及び刃受け端子３１２と３２１との間は電力量計ユニット３０が備える計器電流線で橋絡されている。一方、第２目的のユニット区画４００は空き状態であることから、第４の刃受け端子４１１、４１２、４１３を電源部Ａとして活用できる状態である。
【００３５】
以上の使用態様からも明らかな通り、このユニット式計器は、需要家で使用される電力量を計量する電力量計ユニット３０を必須装着ユニットとし、その他の機能を果たす機器ユニットを別口でユニット接合部２０に取り付ける構成であるので、電力量計ユニット３０の検定有効期間が満了したならば、この単機能化された電力量計ユニット３０のみを交換すれば良く（オプション機器ユニットについてはそのまま継続使用できる）、経済的なロスが抑制できるようになる。
【００３６】
図９は、このような作用を説明するための模式的な回路図である。第２目的のユニット区画４００を、第１目的のユニット区画３００よりも一次側端子１１から見て遠端側に配置することで、第２目的のユニット区画４００の電源部Ａである第４の刃受け端子４１１、４１２、４１３を介して機器ユニットに流れる電流Ｉｍ、つまり通信端局ユニット４０等で消費される消費電流Ｉｍは、電力量を計量するための電流センサを通過しないようになる。
【００３７】
すなわち、需要家に存在する負荷に対して流れる負荷電流Ｉ０は、電力量計ユニット３０が備える計器電流線を流れるため、該計器電流線にカップリングされている電流センサで計測される。しかし、計器電流線で橋絡されている第１の刃受け端子３１１と３２２、及び第１の刃受け端子３１２と３２１は、電源部Ａよりも一次側端子１１から見て近端側に位置しているので、電源部Ａに負荷を接続しても、その消費電流Ｉｍは計器電流線を流れることはなく、従って電力量計ユニット３０で計量されないものである。なお、この実施形態によれば、第１の電力量計ユニット３０の計量電子回路の動作電源取り出し部である第３の刃受け端子３５１、３５２、３５３も、第１の刃受け端子３１１と３２２よりも一次側端子１１から見て遠端側に配置されているので、第１の電力量計ユニット３０を動作させるために消費される電力も、需要家の負担とならない。
【００３８】
以上、ユニット接合部２０に装着される機器ユニットとして、電力量計ユニット３０を例示して説明したが、他の機器ユニット、すなわち通信機能を持つ通信端局ユニット４０のユニット接合部２０への装着態様も上記と実質的に同様であるので説明を省略する。
【００３９】
通信端局ユニット４０は、例えば電力量計ユニット３０で計量された電力量を、通信で遠隔地へ送信する遠隔検針を行うために、必要に応じて設けられる。該通信端局ユニット４０は、アンテナ及び通信制御部等からなる通信装置と、前記通信制御部等を構成する電子回路に動作電源を供給する電源回路とを具備したものを用いることができ、この電源回路に接続された刃端子を、ユニット接合部２０の第４の刃受け端子４１１、４１２、４１３に対応させて該通信端局ユニット４０に設けるようにすれば良い。
【００４０】
本実施の形態によれば、前記両電力量計ユニットの電圧用刃端子が接続される電圧用刃受け端子４１１、４１２、４１３と、第１の電力量計ユニットおよび第２の電力量計ユニットが共用で接続される電流端子の第１の刃受け端子３１１、３１２、３２１，３２２と、第１の電力量計ユニットだけが接続される電流端子の第２の刃受け端子３３１、３３２、３４１、３４２と、を備えたので、電力量計ユニットの定格電流を変更する場合に、電力量計ユニットを交換するだけで電力量計ユニットを装着するベースユニットの交換は必要ないので、電力量計ユニットの交換時の経済的ロスの発生を抑制することができる。
【００４１】
第１の刃受け端子の幅Ｌ１、第２の刃受け端子の幅Ｌ２、第１の刃受け端子と第２の刃受け端子との間隔Ｌ３、及び第１の電力量計ユニット３０の刃端子の幅Ｌ４を、式１を満たすようにしたので、第１の刃端子の一方の端部を第１の刃受け端子の外側端部より外側に、第１の刃端子の他方の端部を第２の刃受け端子の外側端部より外側に位置されることとなり、常に第１の刃受け端子３１１の端部３１１６、３１１７、及び第２の刃受け端子３３１の端部３３１６、３３１７が刃端子３１１ａに、第１の刃受け端子３１２の端部３１２６、３１２７、及び第２の刃受け端子３３２の端部３３２６、３３２７が刃端子３１２ａに、第１の刃受け端子３２１の端部３２１６、３２１７、及び第２の刃受け端子３４１の端部３４１６、３４１７が刃端子３２１ａに、第１の刃受け端子３２２の端部３２２６、３２２７、及び第２の刃受け端子３４２の端部３４２６、３４２７が３２２ａにそれぞれ接触する状態とすることができる。そうすると、第１の刃受け端子の端部の２箇所、及び第２の刃受け端子の端部の２箇所の合計４箇所が、電流端子である刃端子に接触した状態となるので、両刃受け端子と刃端子との接触状態を安定させることができる。
【００４２】
また、刃受け端子よりも刃端子が小さい、すなわち、
Ｌ４≦Ｌ１＋Ｌ２＋Ｌ３
となっていると、刃端子のエッヂで刃受け端子の刃面をキズ付けてしまう恐れがあるが、式１を満たすようにしたので、第１の刃端子の一方の端部を第１の刃受け端子の外側端部より外側に、第１の刃端子の他方の端部を第２の刃受け端子の外側端部より外側に位置されることとなり、定格電流の変更により交換するのは電力計ユニット３０、３１（刃端子側）であり、固定設置されているベースユニット１０側の両刃受け端子にキズが付くのを防止することができる。
【００４３】
以上、本発明の実施形態について説明したが、本発明はこれに限定されるものではない。例えば、各機器がユニット単位で交換可能なものを全て含み、オプション機器ユニットを備えない形態でもよく、オプション機器ユニットの機能も限定されない。また、機器ユニットに設けられる刃端子の形状、ユニット接合部に設けられる刃受け端子の形状については任意であり、実質的に両端子が係合し電気的な導通状態を安定的に確保できる態様で
あれば、如何なる形状であっても良い。或いは、刃端子と刃受け端子との組み合わせに代えて、第１端子と第２端子とがネジ接続により電気的に接続されるような構成としても良い。また、ユニット区画について、第１、第２目的のユニット区画を設定した例について説明したが、さらに多区画を設定しても良い。
【００４４】
なお、図１０はユニット式計器１を示す斜視図、図１１は第１の電力量計ユニット３０が装着された状態のユニット式計器１を示す正面図、図１２はユニット式計器１を示す右側面図、図１３はユニット式計器１を示す左側面図、図１４はユニット式計器１を示す平面図、図１５はユニット式計器１を示す底面図、図１６はユニット式計器１を示す背面図、図１７は図１１において透明部分をハッチングで示した正面図、図１８は第１の電力量計ユニット３０を示す正面図、図１９は第１の電力量計ユニット３０を示す右側面図、図２０は第１の電力量計ユニット３０を示す左側面図、図２１は第１の電力量計ユニット３０を示す平面図、図２２は第１の電力量計ユニット３０を示す底面図、図２３は第１の電力量計ユニット３０を示す背面図である。
【００４５】
実施の形態２．
以下、図面に基づいて、本発明の実施形態について説明する。
図２４は本発明の実施形態２にかかるユニット式計器２を示す正面図、図２５は図２４のＹ−Ｙ線断面図、図２６は第２の電力量計ユニット３１の一例を示す斜視図で、（ａ）は正面方向の斜視図、（ｂ）は背面方向の斜視図、図２７は刃受け端子と刃端子との関係を示す要部拡大斜視図、図２８は刃受け端子に刃端子が圧入された状態を示す要部拡大側面図である。
図２４、２５に示すように、本実施の形態におけるユニット式計器２は、実施の形態１においてベースユニット１０に装着していた第１の電力量計ユニット３０に替えて、第１の電力量計ユニット３０の第１定格電流値より小さい第２定格電流値を有する第２の電力量計ユニット３１をベースユニット１０に装着したものである。
【００４６】
第２の電力量計ユニット３１は、電子式電力量計であって、図２６（ａ）に示すように、その前面側には計量した電力量をデジタル表示する計量値表示部３１ａと、計量パルスを発光ダイオードなどで表示する計量パルス発信部３１ｂとを備えている。
【００４７】
一方、図２６（ｂ）に示すように背面側には、所定の刃端子（第２端子）が突設されている。すなわち、ユニット接合部２０の刃受け端子３１１、３１２、３２１、３２２に対応するよう、電流端子としての刃端子３１１ｂ、３１２ｂ、３２１ｂ、３２２ｂがそれぞれ突設されている。また、第３の刃受け端子３５１、３５２、３５３に対応するよう、電圧端子としての刃端子３５１ｂ、３５２ｂ、３５３ｂがそれぞれ突設されている。さらに、該電力量計ユニット３１をユニット接合部２０へ固定するためのネジ孔付きフランジ部３１ｃ、３１ｃが背面板の左右２箇所に設けられ、装着時にフランジ部３１ｃ、３１ｃと、ユニット接合部２０の底板２５に設けられているネジ孔部２５３１、２５３２と、が位置合せされて、第２の電力量計ユニット３１がネジ止め固定される。
【００４８】
図２７に示すように、第１の刃受け端子３１１は、刃端子３１１ｂの刃先部３１１ｂＳが一対の拡開テーパ面３１１１、３１１２によりガイドされ、刃端子３１１ｂが圧入されたときに該刃端子３１１ｂが挟持部３１１３により付勢力をもって挟持される。
【００４９】
第２の電力量計ユニット３１の電流端子である各刃端子３１１ｂ、３１２ｂ、３２１ｂ、３２２ｂの幅をＬ５とすると、
Ｌ３≧｜Ｌ５−Ｌ１｜                （式２）
Ｌ５≧Ｌ１                          （式３）
の関係を満足するものとする。
【００５０】
各刃端子と各刃受け端子を式２に示す関係とすることにより、第１の刃受け端子３１１と第２の刃受け端子３３１との間に設けられた隙間Ｌ３は、Ｌ５とＬ１との差寸法より大きい。
また、各刃端子と各刃受け端子を式３に示す関係とすることにより、図２８に示すように、第１の刃端子３１１ｂの一方の端部３１１ｂ１を第１の刃受け端子３１１の外側端部３１１６の外側に、第１の刃端子３１１ｂの他方の端部３１１ｂ２を第１の刃受け端子３１１の内側端部３１１７の外側に位置させることとする。
【００５１】
本実施の形態によれば、前記両電力量計ユニットの電圧用刃端子が接続される電圧用刃受け端子と、前記第１の電力量計ユニットおよび前記第２の電力量計ユニットが共用で接続される第１の刃受け端子と、前記第１の電力量計ユニットが接続される第２の刃受け端子と、を備えたので、電力量計ユニットの定格電流を第１電流値から第１電流値より小さい第２の電流値の電力量計ユニットに変更する場合に、電力量計ユニットを交換するだけで電力量計ユニットを装着するユニット接合部の交換が必要なく電力量計ユニットの交換時の経済的ロスの発生を抑制することができる。
【００５２】
また、第１の刃受け端子３１１と第２の刃受け端子３３１との間、第１の刃受け端子３１２と第２の刃受け端子３３２との間、第１の刃受け端子３２１と第２の刃受け端子３４１との間、及び第１の刃受け端子３２２と第２の刃受け端子３４２との間に式２に示す隙間Ｌ３がそれぞれ設けられているので、刃端子３１１ｂを第１の刃受け端子３１１から引き抜く際に、隣接する第２の刃受け端子３３１と干渉せず、刃端子３１１ｂにキズが付くことがない。
【００５３】
また、第２の電力量計ユニット３１の刃端子の幅Ｌ５と、第１の刃受け端子の幅Ｌ１が、式３を満たすようにしたので、刃端子の両端部は第１の刃受け端子の端部より外側に位置することとなり、第１の刃受け端子の両端部が、電流端子である刃端子に接触した状態となるので、両刃受け端子と刃端子との接触状態を安定させることができる。
【００５４】
また、式３を満たすようにしたので、第１の刃端子の一方の端部を第１の刃受け端子の外側端部より外側に、第１の刃端子の他方の端部を第１の刃受け端子の内側端部より外側に位置されることとなり、定格電流の変更により交換するのは電力計ユニット３１（刃端子側）であり、固定設置されているベースユニット１０側の両刃受け端子にキズが付くのを防止することができる。
【符号の説明】
【００５５】
１    ユニット式計器、１０  ベースユニット、  １１  一次側端子、
１２  二次側端子、    ２０  ユニット接合部、  ２１  覆板、
２５  端子ブロック部、３０  第１の電力量計ユニット、
３１  第２の電力量計ユニット、
４０  通信端局ユニット（機器ユニット）、１０１  ケーシング、
３００  第１目的のユニット区画、
３１１、３１２、３２１、３２２  第１の刃受け端子、
３３１、３３２、３４１、３４２  第２の刃受け端子、
３１１ａ、３１２ａ、３２１ａ、３２２ａ  刃端子（電流端子）、
３５１ａ、３５２ａ、３５３ａ  刃端子（電圧端子）、
３５１、３５２、３５３  第３の刃受け端子、
４００  第２目的のユニット区画。
【図１】
2014126418.tif 000003
【図２】
2014126418.tif 000004
【図３】
2014126418.tif 000005
【図４】
2014126418.tif 000006
【図５】
2014126418.tif 000007
【図６】
2014126418.tif 000008
【図７】
2014126418.tif 000009
【図８】
2014126418.tif 000010
【図９】
2014126418.tif 000011
【図１０】
2014126418.tif 000012
【図１１】
2014126418.tif 000013
【図１２】
2014126418.tif 000014
【図１３】
2014126418.tif 000015
【図１４】
2014126418.tif 000016
【図１５】
2014126418.tif 000017
【図１６】
2014126418.tif 000018
【図１７】
2014126418.tif 000019
【図１８】
2014126418.tif 000020
【図１９】
2014126418.tif 000021
【図２０】
2014126418.tif 000022
【図２１】
2014126418.tif 000023
【図２２】
2014126418.tif 000024
【図２３】
2014126418.tif 000025
【図２４】
2014126418.tif 000026
【図２５】
2014126418.tif 000027
【図２６】
2014126418.tif 000028
【図２７】
2014126418.tif 000029
【図２８】
2014126418.tif 000030